(57)【要約】【課題】横方向に連続的に配置される座席毎に設置される肘掛装置において、座席毎に肘掛の幅を可変にすることができる連続座席用可変肘掛装置を提供する。【解決手段】横方向に連続的に配置される座席毎に設置される肘掛装置において、肘掛基部１と、この肘掛基部１から座席の内側へと拡幅される肘掛拡幅部材５とを具備する。【選択図】  図１
2004148921.tif 000002
【特許請求の範囲】
【請求項１】
横方向に連続的に配置される座席毎に設置される肘掛装置において、
（ａ）肘掛基部と、
（ｂ）該肘掛基部から座席の内側へと拡幅される肘掛拡幅部材とを具備することを特徴とする連続座席用可変肘掛装置。
【請求項２】
請求項１記載の連続座席用可変肘掛装置において、前記肘掛拡幅部材は前記肘掛基部に内蔵されることを特徴とする連続座席用可変肘掛装置。
【請求項３】
請求項２記載の連続座席用可変肘掛装置において、前記肘掛拡幅部材は前記肘掛基部から水平に引き出される脚付き長尺部材であることを特徴とする連続座席用可変肘掛装置。
【請求項４】
請求項２記載の連続座席用可変肘掛装置において、前記肘掛拡幅部材は前記肘掛基部の一端を中心水平に引き出され、面積を広げ得る幅広の長尺部材であることを特徴とする連続座席用可変肘掛装置。
【請求項５】
請求項２記載の連続座席用可変肘掛装置において、前記肘掛拡幅部材は前記肘掛基部の下端を中心として倒され、面積を広げ得る幅広の長尺部材であることを特徴とする連続座席用可変肘掛装置。
【請求項６】
請求項１記載の連続座席用可変肘掛装置において、前記肘掛拡幅部材は前記肘掛基部に並設可能に配置することを特徴とする連続座席用可変肘掛装置。
【請求項７】
請求項６記載の連続座席用可変肘掛装置において、前記肘掛拡幅部材は通常は前記肘掛基部の横に起立した状態にセットされ、拡幅時には倒して、前記肘掛基部に並設可能に配置することを特徴とする連続座席用可変肘掛装置。
【請求項８】
請求項６記載の連続座席用可変肘掛装置において、前記肘掛基部の横に配置され、拡幅時には空気の供給により膨張して肘掛を拡幅する空気膨張部材を具備することを特徴とする連続座席用可変肘掛装置。
【発明の詳細な説明】
【０００１】
【発明の属する技術分野】
本発明は、鉄道車両用連続座席の座席間肘掛に関するもので、利用者の好みに応じて幅を変えられるようにした連続座席用可変肘掛装置に関するものである。
【０００２】
【従来の技術】
この分野の従来技術としては、新幹線や急行列車などに採用されている、跳ね上げ方式の肘掛がある。また、オフィスチェアや単独椅子の分野では、肘掛をスライドさせて幅を変化させられるものがある。
【０００３】
また、ロングシートの両端部に高齢者や身体障害者等の利用に適した肘掛を配置するようにしたものが、下記特許文献１に提案されている。
【０００４】
【特許文献１】
特開２００１−１３８７８２号公報（第２頁−第３頁  第１図）
【特許文献２】
特開平８−３９３号公報（第２頁−第３頁  第２図）
【０００５】
【発明が解決しようとする課題】
しかしながら、新幹線や急行列車などに採用されている跳ね上げ方式の一般的な肘掛の幅は５０ｍｍであり、肘掛を下ろした場合、隣り合った座席の両側から利用者がその肘掛に肘をかけることはできない。つまり、肘掛は、どちらか片方の利用者のみが利用できる設備である。一方、肘掛の幅を広げれば両側から同時に肘掛を利用することが可能であるが、車体幅には制限があるため、座席幅もしくは定員数が犠牲になるというデメリットがある。
【０００６】
本発明は、上記状況に鑑みて、横方向に連続的に配置される座席毎に設置される肘掛装置において、座席毎に肘掛の幅を可変にできる連続座席用可変肘掛装置を提供することを目的とする。
【０００７】
【課題を解決するための手段】
本発明は、上記目的を達成するために、
〔１〕横方向に連続的に配置される座席毎に設置される肘掛装置において、肘掛基部と、この肘掛基部から座席の内側へと拡幅される肘掛拡幅部材とを具備することを特徴とする。
【０００８】
〔２〕上記〔１〕記載の連続座席用可変肘掛装置において、前記肘掛拡幅部材は前記肘掛基部に内蔵されることを特徴とする。
【０００９】
〔３〕上記〔２〕記載の連続座席用可変肘掛装置において、前記肘掛拡幅部材は前記肘掛基部から水平に引き出される脚付き長尺部材であることを特徴とする。
【００１０】
〔４〕上記〔２〕記載の連続座席用可変肘掛装置において、前記肘掛拡幅部材は前記肘掛基部の一端を中心水平に引き出され、面積を広げ得る幅広の長尺部材であることを特徴とする。
【００１１】
〔５〕上記〔２〕記載の連続座席用可変肘掛装置において、前記肘掛拡幅部材は前記肘掛基部の下端を中心として倒され、面積を広げ得る幅広の長尺部材であることを特徴とする。
【００１２】
〔６〕上記〔１〕記載の連続座席用可変肘掛装置において、前記肘掛拡幅部材は前記肘掛基部に並設可能に配置することを特徴とする。
【００１３】
〔７〕上記〔６〕記載の連続座席用可変肘掛装置において、前記肘掛拡幅部材は、通常は前記肘掛基部の横に起立した状態にセットされ、拡幅時には倒して、前記肘掛基部に並設可能に配置することを特徴とする。
【００１４】
〔８〕上記〔６〕記載の連続座席用可変肘掛装置において、前記肘掛基部の横に配置され、拡幅時には空気の供給により膨張して肘掛を拡幅する空気膨張部材を具備することを特徴とする。
【００１５】
【発明の実施の形態】
以下、本発明の実施の形態について詳細に説明する。
【００１６】
図１は本発明の第１実施例を示す連続座席用可変肘掛装置の構成図であり、図１（ａ−１）はその通常時の上面図、図１（ｂ−１）はその拡幅時の上面図である。また、図１（ａ−２）は通常時の正面図、図１（ｂ−２）は拡幅時の正面図である。
【００１７】
これらの図において、１は座部、２は肘掛基部、３は座席の脚部、４は背もたれ、４Ａは背もたれカバー、５は長尺状の肘掛拡幅部材、６は肘掛拡幅部材の脚である。
【００１８】
通常時には、図１（ａ−１）、（ａ−２）に示すように、肘掛拡幅部材５は肘掛基部２と一体になるように肘掛基部２に内蔵されているが、拡幅時には、図１（ｂ−１）、（ｂ−２）に示すように、その肘掛拡幅部材５を肘掛基部２から座席内側（利用者側）に引っ張り出すと肘掛拡幅部材の脚６とともにその肘掛拡幅部材５を移動させることができ、肘掛の幅を広げることができる。
【００１９】
なお、上記した実施例では、各座席の片側のみから引き出せるように肘掛拡幅部材５を配置した例について述べたが、各座席の両側から引き出せるように上記した肘掛拡幅部材５を配置するようにしてもよい。
【００２０】
図２は本発明の第２実施例を示す連続座席用可変肘掛装置の構成図であり、図２（ａ−１）はその通常時の上面図、図２（ｂ−１）はその拡幅時の上面図である。また、図２（ａ−２）は通常時の正面図、図２（ａ−２）は拡幅時の正面図である。
【００２１】
これらの図において、１１は座部、１２は肘掛基部、１３は座席の脚部、１４は背もたれ、１４Ａは背もたれカバー、１５は長尺状の肘掛拡幅部材、１６は肘掛拡幅部材の背もたれ側に設けられる肘掛拡幅部材の枢着部である。
【００２２】
通常時には、図２（ａ−１）、（ａ−２）に示すように、肘掛拡幅部材１５は肘掛基部１２と一体になるように肘掛基部１２に内蔵されているが、拡幅時には、図２（ｂ−１）、（ｂ−２）に示すように、その肘掛拡幅部材１５の先端部を座席内側（利用者側）に引っ張り出すと肘掛拡幅部材１５が肘掛拡幅部材の枢着部１６を中心として回転（スライド）することにより、肘掛の幅を広げることができる。
【００２３】
なお、上記した実施例でも、各座席の片側のみから引き出せるように肘掛拡幅部材１５を配置した例にについて述べたが、各座席の両側から引き出せるように上記した肘掛拡幅部材１５を肘掛の両側に配置するようにしてもよい。
【００２４】
図３は本発明の第３実施例を示す連続座席用可変肘掛装置の構成図であり、図３（ａ−１）はその通常時の上面図、図３（ｂ−１）はその拡幅時の上面図である。また、図３（ａ−２）は通常時の正面図、図３（ｂ−２）は拡幅時の正面図である。
【００２５】
これらの図において、２１は座部、２２は肘掛基部、２３は座席の脚部、２４は背もたれ、２４Ａは背もたれカバー、２５は長尺状の肘掛拡幅部材、２６は肘掛拡幅部材の下端に設けられる肘掛拡幅部材の枢着部である。
【００２６】
通常時には、図３（ａ−１）、（ａ−２）に示すように、肘掛拡幅部材２５は肘掛基部２２と一体になるように配置されているが、拡幅時には、図３（ｂ−１）、（ｂ−２）に示すように、その肘掛拡幅部材２５の下端に設けられた肘掛拡幅部材の枢着部２６を中心として回転する（倒す）ことにより、肘掛の幅を広げることができる。
【００２７】
この実施例では、肘掛基部２２を境界として隣接する座席の各々の利用者は、共通の肘掛基部２２から左右両側に設けられる長尺状の肘掛拡幅部材２５を拡幅してそれぞれ利用することができる。ただし、各座席の片側にのみ肘掛拡幅部材２５を配置するようにしてもよい。
【００２８】
図４は本発明の第４実施例を示す連続座席用可変肘掛装置の構成図であり、図４（ａ−１）はその通常時の上面図、図４（ｂ−１）はその拡幅時の上面図である。また、図４（ａ−２）は通常時の正面図、図４（ｂ−２）は拡幅時の正面図である。
【００２９】
これらの図において、３１は座部、３２は肘掛基部、３３は座席の脚部、３４は背もたれ、３４Ａは背もたれカバー、３５は背もたれ側を中心として跳ね上げ可能な長尺状の肘掛拡幅部材、３６は背もたれ側に設けられた長尺状の肘掛拡幅部材の枢着部である。
【００３０】
通常時には、図４（ａ−１）、（ａ−２）に示すように、肘掛拡幅部材３５は背もたれ３４側に跳ね上げられた状態にあり、拡幅時には、図４（ｂ−１）、（ｂ−２）に示すように、肘掛拡幅部材の枢着部３６を中心にして肘掛拡幅部材３５を手前側に下ろして（倒して）肘掛基部３２に並設することにより、肘掛の幅を広げることができる。
【００３１】
この実施例では、肘掛基部３２を境界として隣接する座席の各々の利用者は、共通の肘掛基部３２の左右両側に設けられる肘掛拡幅部材３５を倒してそれぞれ利用することができる。ただし、各座席の片側にのみ肘掛拡幅部材３５を配置するようにしてもよい。
【００３２】
図５は本発明の第５実施例を示す連続座席用可変肘掛装置の構成図であり、図５（ａ−１）はその通常時の模式図、図５（ｂ−１）はその拡幅時の模式図である。また、図５（ａ−２）は通常時の正面図、図５（ｂ−２）は拡幅時の正面図である。
【００３３】
これらの図において、４１は座部、４２は肘掛基部、４３は座席の脚部、４４は背もたれ、４４Ａは背もたれカバー、４５は膨張拡幅部材、４６は空気制御装置であり、膨張拡幅部材４５への空気溜４６Ａ、空気を制御するペダル装置４６Ｂ、空気溜４６Ａと膨張拡幅部材４５間に空気を導入または排出するチューブ４６Ｃを有している。
【００３４】
そこで、通常時には、図５（ａ−１）、（ａ−２）に示すように、空気は空気溜４６Ａに溜められており、膨張拡幅部材４５は縮小した状態にあり、拡幅時には、図５（ｂ−１）、（ｂ−２）に示すように、利用者がペタル装置４６Ｂを踏むことにより、空気溜４６Ａがペダル装置４６Ｂによって押さえられ、空気溜４６Ａからチューブ４６Ｃを通して膨張拡幅部材４５に空気が供給され、それにより、膨張拡幅部材４５は膨張し、肘掛の幅を広げることができる。
【００３５】
この状態でペダル装置４６Ｂをロックすることができるため、利用者が膨張拡幅部材４５に肘をついても、膨張拡幅部材４５内の空気が抜けてしまうことはない。利用者がそのロックを解除して（ロック解除ボタンは図示なし）膨張拡幅部材４５を押し込むことにより、膨張拡幅部材４５内の空気が空気溜４６Ａへ抜けて、図５（ａ）に示す状態に復帰させることができる。
【００３６】
この実施例では、肘掛基部４２を境界として隣接する座席の各々の利用者は、共通の肘掛基部４２の左右両側に設けられる膨張拡幅部材４５を拡幅してそれぞれ利用することができる。ただし、各座席の片側にのみ膨張拡幅部材４５を配置するようにしてもよい。
【００３７】
また、この実施例では、膨張拡幅部材４５に空気を供給して肘掛の幅を広げるように構成したので、利用者をソフトに挟むような状況を作り得るという利点がある。特に、幼児や高齢者のように、座席に過大なスペースを生じて不安定な状態になる場合に好適である。
【００３８】
このように、第１乃至第５実施例によれば、自分の座席の領域内において、肘掛の幅を広げることができるので、隣の利用者には何ら迷惑をかけることなく、肘掛の幅を快適な状態に設定することができる。
【００３９】
なお、本発明は上記実施例に限定されるものではなく、本発明の趣旨に基づいて種々の変形が可能であり、それらを本発明の範囲から排除するものではない。
【００４０】
【発明の効果】
以上、詳細に説明したように、本発明によれば、以下のような効果を奏することができる。
（１）隣席に気兼ねなく、肘掛の幅を自在に調整し、肘掛の幅を快適な状態に設定することができる。
（２）定員数や座席幅を犠牲にすることなく、拡幅可能な肘掛を設置することができる。
（３）体格の小さい利用者には、広すぎる座席による姿勢の不安定さを低減することができる。
【図面の簡単な説明】
【図１】本発明の第１実施例を示す連続座席用可変肘掛装置の構成図である。
【図２】本発明の第２実施例を示す連続座席用可変肘掛装置の構成図である。
【図３】本発明の第３実施例を示す連続座席用可変肘掛装置の構成図である。
【図４】本発明の第４実施例を示す連続座席用可変肘掛装置の構成図である。
【図５】本発明の第４実施例を示す連続座席用可変肘掛装置の構成図である。
【符号の説明】
１，１１，２１，３１，４１    座部
２，１２，２２，３２，４２    肘掛基部
３，１３，２３，３３，４３    座席の脚部
４，１４，２４，３４，４４    背もたれ
４Ａ，１４Ａ，２４Ａ，３４Ａ，４４Ａ    背もたれカバー
５，１５，２５，３５    長尺状の肘掛拡幅部材
６    肘掛拡幅部材の脚
１６，２６，３６    肘掛拡幅部材の枢着部
４５    膨張拡幅部材
４６    空気制御装置
４６Ａ    空気溜
４６Ｂ    ペダル装置
４６Ｃ    チューブ
【図１】
2004148921.tif 000003
【図２】
2004148921.tif 000004
【図３】
2004148921.tif 000005
【図４】
2004148921.tif 000006
【図５】
2004148921.tif 000007